(57)【特許請求の範囲】
【請求項１】
第１の部材と第２の部材との間に配置されるガスケットであって、
クッション部材と、
シート状の粘着部材と、
シート状の導電性部材とを備え、
前記粘着部材の一部の領域は、前記クッション部材を覆うように前記クッション部材の外側に設けられており、
前記導電性部材の一部は、折り曲げられた形状で、前記粘着部材の前記一部の領域を覆うように前記粘着部材の外側に構成されており、
前記粘着部材は、少なくとも片面が前記導電性部材によって覆われていない二つの領域を含む、ガスケット。
【請求項２】
前記二つの領域は、前記ガスケットの同一面に構成されている、請求項１に記載のガスケット。
【請求項３】
請求項１または２に記載のガスケットを備える、携帯通信端末。
【発明の詳細な説明】
【技術分野】
【０００１】
本発明は、ガスケットの構造に関する。
【背景技術】
【０００２】
携帯通信端末において、複数の基板を維持するためにガスケットが用いられる。基板に搭載される回路構成によっては、ガスケットを介して複数の基板が積層される。基板間の導通は、ガスケットによって維持される。
【０００３】
ガスケットに関し、たとえば、特開２００１−０９４２８７号公報（特許文献１）は、「良好な電磁波シールド効果を示し、小型薄型で複雑な形状が可能な電磁波シールドガスケット」を開示している（［要約］の［課題］参照）。
【０００４】
また、特開２００２−１１１２７０号公報（特許文献２）は、導電性ケースの間隙に用いられて電磁波を遮断し、さらに、外力による導電性ケースの変形を防止可能な電磁波シールド用ガスケットを開示している。
【先行技術文献】
【特許文献】
【０００５】
【特許文献１】特開２００１−０９４２８７号公報
【特許文献２】特開２００２−１１１２７０号公報
【発明の概要】
【発明が解決しようとする課題】
【０００６】
ガスケットは、構造物に貼りつけて使用するため、導通接点部に導通性両面テープを使用したり、接点面に一部だけ両面テープを使用する場合がある。この場合、両面テープを介しての接触となるため、接点部の接触抵抗が高くなり、性能ばらつきの原因となる場合がある。
【０００７】
ガスケットは導通物のため、携帯通信端末その他の製品の組立過程において、または、製品完成状態においても、外部衝撃等で基板から剥がれて、製品内部の他の部品とショートする場合がある。そのため、ガスケットを基板に対して確実に固定しなければならないという要請がある。そのため、ガスケットの四方を壁で囲んだり、別の貼りものでガスケットを固定するなどの対応が必要であり、コストが増加し、あるいは、小型化を傷害となる場合があった。したがって、性能のばらつきを抑制し、あるいは、他の部品とのショートが防止される技術が必要とされている。
【０００８】
本発明は、上述のような問題点を解決するためになされたものであって、その目的は、性能のばらつきが抑制されるガスケットを提供することである。他の目的は、他の部品とのショートが防止されるガスケットを提供することである。
【０００９】
他の局面における目的は、性能のばらつきが抑制されるガスケットを有する携帯通信端末を提供することである。さらに他の局面における目的は、他の部品とのショートが防止されるガスケットを有する携帯通信端末を提供することである。
【課題を解決するための手段】
【００１０】
一実施の形態に従う、第１の部材と第２の部材との間に配置されるガスケットは、クッション部材と、シート状の粘着部材と、シート状の導電性部材とを備える。粘着部材の一部の領域は、クッション部材を覆うようにクッション部材の外側に設けられている。導電性部材の一部は、折り曲げられることにより、粘着部材の一部の領域を覆うように粘着部材の外側に構成されている。粘着部材は、少なくとも片面が導電性部材によって覆われていない二つの領域を含む。
【００１１】
好ましくは、二つの領域は、ガスケットの同一面に構成されている。
他の実施の形態に従うと、上記のガスケットを備える、携帯通信端末が提供される。
【００１２】
この発明の上記および他の目的、特徴、局面および利点は、添付の図面と関連して理解されるこの発明に関する次の詳細な説明から明らかとなるであろう。
【図面の簡単な説明】
【００１３】
【図１】本実施の形態に係るガスケット１００が基板１１０に取り付けられる態様を表わす図である。
【図２】ある局面に従うガスケット２００の一態様を説明するための図である。
【図３】他の局面に従うガスケット３００の一態様を説明するための図である。
【図４】本実施の形態に係るガスケットの構成を表す図である。
【図５】ガスケット１００が製造される過程を例示する図である。
【発明を実施するための形態】
【００１４】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１５】
図１は、本実施の形態に係るガスケット１００の使用態様について説明する。図１は、ガスケット１００が基板１１０に取り付けられる態様を表わす図である。
【００１６】
ある局面において、ガスケット１００は、携帯通信端末を構成する基板１１０と基板１２０との間に配置され、基板１１０と基板１２０との間の導通を維持する。携帯通信端末は、たとえば、携帯電話機、スマートフォン、タブレット端末等を含むがこれらに限られない。たとえば、ガスケット１００の接続部１０２の一面は、基板１１０において設計情報に基づいて特定される領域１１２に取り付けられる。接続部１０２の他の面は、基板１２０において設計情報に基づいて特定される領域１２２に取り付けられる。このとき、領域１１２と領域１２２とが、いずれも導電性を有する金属部分、すなわち、回路の一部を構成する場合には、接続部１０２に導電性を持たせることにより、基板１１０と基板１２０とを導通させることができる。
【００１７】
また、ガスケット１００において接続部１０２以外の領域は、所謂ベロ部として使用される。すなわち、当該領域が粘着性を有する場合には、ガスケット１００を基板１１０および基板１２０のいずれに対しても固着させることができる。これにより、ガスケット１００の位置不良（たとえば、はがれ、ずれなど）が防止され得る。
【００１８】
図２を参照して、ある局面に従うガスケット２００の一態様について説明する。図２（Ａ）は、ガスケット２００を水平方向から見た断面図である。ガスケット２００は、クッション部材２３０を覆うように配置された両面テープ２１０と、両面テープ２１０を覆うように配置されたメタルフィルム２２０と、導通性を有する両面テープ２４０とを備える。
【００１９】
図２（Ｂ）は、ガスケット２００の裏面を表す図である。図２（Ｂ）に示されるように、この局面に従うガスケット２００の裏面の殆どは、基板との接着のために、両面テープ２４０で構成される。この場合、導通性を有する両面テープ２４０が用いられていても、ガスケット２００と基板との間の接圧が高くなれば、接触抵抗が大きくなる場合がある。そのため、このようなガスケット２００を用いた携帯通信端末の性能がばらつく恐れもある。
【００２０】
図３を参照して、他の局面に従うガスケット３００の一態様について説明する。図３（Ａ）は、ガスケット３００を水平方向から見た断面図である。ガスケット３００は、クッション部材２３０を覆うように配置された両面テープ２１０と、両面テープ２１０を覆うように配置されたメタルフィルム２２０と、導通性を有する両面テープ２４０とを備える。導通性を有する両面テープ２４０は、ガスケット３００の面の半分に設けられている。
【００２１】
図３（Ｂ）は、ガスケット３００の裏面を表す図である。図３（Ｂ）に示されるように、この局面に従うガスケット３００の裏面の半分は、基板との接着のために、導通性を有する両面テープ２４０で構成される。他の領域は、メタルフィルム２２０の導通面で占められる。この場合、導通性を有する両面テープ２４０がない分、接触抵抗は小さくなるが、逆に、粘着力の低下により、ガスケット３００が基板から離れやすくなる。その結果、ガスケット３００を用いた携帯通信端末の内部で、回路がショートする等の事故が発生する可能性がある。
【００２２】
図４を参照して、本実施の形態に係るガスケットの構成についてさらに説明する。図４（Ａ）は、ガスケット１００の一面を表す図である。ガスケット１００の当該一面は、メタルフィルム２２０で構成される。メタルフィルム２２０の一部の領域は、接点部として機能する。接点部には、クッション部材が含まれる。これにより、当該一面と、当該一面に接する基板との間には、導通性が維持される。
【００２３】
図４（Ｂ）は、ガスケット１００の他の一面を表す図である。ガスケットの当該他の一面は、メタルフィルム２２０と、両面テープ２１０の一面とで構成される。接点部に相当する領域には、クッション部材２３０が含まれている。図４（Ｂ）から明らかなように、両面テープ２１０の接着面が２か所に存在するため、ガスケット１００と基板との間の接着力は、接着面が１か所しかない場合に比べて向上する。これにより、ガスケット１００が基板からはがれることを防止することがができる。
【００２４】
図５を参照して、本実施の形態に係るガスケット１００の製造方法について説明する。図５は、ガスケット１００が製造される過程を例示する図である。
【００２５】
図５（Ａ）を参照して、最初に、メタルフィルム２２０が準備される。メタルフィルム２２０の大きさは、ガスケット１００が用いられる基板の設計情報に基づいて規定される。図５（Ｂ)は、メタルフィルム２２０を断面方向から見た図である。
【００２６】
図５（Ｃ）および図５（Ｄ）を参照して、メタルフィルム２２０に対して、両面テープ２１０が準備される。その後、図５（Ｅ）に示されるように、メタルフィルム２２０と両面テープ２１０とは、両面テープ２１０の一面によって接着される。
【００２７】
図５（Ｆ）および図５（Ｇ）を参照して、クッション部材２３０が両面テープ２１０において設計情報に基づき予め特定される場所に取り付けられる（図５（Ｈ))。
【００２８】
図５（Ｉ）および図５（Ｊ）を参照して、メタルフィルム２２０および両面テープ２１０の一部は、クッション部材２３０を覆うために、クッション部材２３０に対して折り曲げられる（図５（Ｋ））。
【００２９】
図５（Ｉ）から明らかなように、ガスケット１００の一面は、メタルフィルム２２０で構成される。図５（Ｊ）から明らかなように、ガスケット１００の他の一面は、両面テープ２１０とメタルフィルム２２０とで構成される。両面テープ２１０の領域は二つ存在する。これにより、ガスケット１００を両面テープ２１０によって基板に確実に固着することができる。また、メタルフィルム２２０の一部が当該他の一面にも存在する。したがって、当該他の一面と、当該他の一面が接する基板との間の導通性も維持される。
【００３０】
以上のようにして、本実施の形態に係るガスケット１００によれば、接触抵抗を小さくしつつ、基板との接着性を維持することができる。これにより、ガスケット１００を使用する携帯通信端末、たとえば、携帯電話機、スマートフォン、タブレット端末等の性能のばらつきが抑制され得る。また、ガスケット１００が基板から剥離することも防止されるので、携帯通信端末の内部において回路ショートの発生を防止することができる。
【００３１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００３２】
１００，２００，３００  ガスケット、１０２  接続部、１１０，１２０  基板、１１２，１２２  領域、２１０，２４０  両面テープ、２２０  メタルフィルム、２３０  クッション部材。
【図１】
0005855486.tif 000002
【図２】
0005855486.tif 000003
【図３】
0005855486.tif 000004
【図４】
0005855486.tif 000005
【図５】
0005855486.tif 000006